【事件の表示】
　平成１１年特許願第　５９９４５号「カチオン性両親媒性ポリマーを含有する酸化染色プロセス及び該プロセスに用いられる組成物」拒絶査定不服審判事件〔平成１１年１０月２６日出願公開、特開平１１−２９２７４５〕について、次のとおり審決する。
【結　論】
　本件審判の請求は、成り立たない。
【理　由】
１．手続の経緯・本願発明
　本願は，平成１１年３月８日（パリ条約による優先権主張１９９８年３月６日，フランス国）の出願であって，その請求項２に係る発明は，平成１５年３月５日付けの手続補正書により補正された特許請求の範囲の請求項２に記載された次のとおりのものと認める。（以下，「本願発明」という。）
　「ヒトのケラチンファイバを染色するための酸化染料組成物（Ａ）であって，該組成物（Ａ）は，染色に好適な媒質中に少なくとも１種の酸化染料前駆体と，随意に１種類以上のカップラと，Ｃ12又はＣ18のアルキル基で変性された４級化ヒドロキシエチルセルロースから選択される少なくとも１種類のカチオン性両親媒性ポリマーとを含有することを特徴とする酸化染料組成物（Ａ）。」
２．当審の拒絶理由
　一方，当審において平成１７年１１月１０日付けで通知した拒絶の理由の概要は，本願発明は，本願の優先権主張の日前の平成７年１０月１７日に頒布された特開平7-267832号（以下，「引用例Ａ」という。）及び１９８５年７月に頒布されたCosmetics  Toiletries,Vol.100,p41-47(July 1985) 
Allured Publishing Corp.（以下「引用例Ｂ」という。）に記載された発明に基づいて当業者が容易に発明をすることができたものであるから，特許法第２９条第２項の規定により特許を受けることができない，というものである。
　
３．引用例
　各引用例には，以下の事項が記載されている。
引用例Ａ
(A-1)「（ａ）Ｎ，Ｎ−ビス（２−ヒドロキシエチル）−ｐ−フェニレンジアミンまたはその塩，および（ｂ）カチオン化ポリマーを含有することを特徴とする染毛剤組成物。」（【請求項１】）
(A-2)「従来，染毛剤としては酸化染料中間体を含有する第１剤と酸化剤を含有する第２剤よりなる二剤型の酸化染毛剤が広く利用されている。この染毛剤は無色の低分子の酸化染料中間体を毛髪中に浸透させ，髪の中で酸化重合を行なわせることにより色素を生成させ毛髪を染着するものである。これらの染毛剤は要望に応じた種々の色調に毛髪を染毛することができ，しかも，その染毛力も優れているので非常に便利なものであり，広く利用されていた。」(段落番号【０００２】)
(A-3)「しかしながら，Ｎ，Ｎ−ビス（２−ヒドロキシエチル）−ｐ−フェニレンジアミンまたはその塩を染料中間体として用いた場合，均一に染毛できずにむら染めになるという欠点があった。また，経時変化により粘度の上昇が起こり，酸化剤との混合操作が困難で，毛髪へ塗布した場合の伸びが悪いという問題があった。
　本発明は，上記課題を解決し，均染性および粘度安定性に優れた染毛剤組成物を提供することを目的とする。」(段落番号【０００３】，【０００４】)
(A-4)「（ａ）群成分と共に，（ｂ）群成分として，カチオン化ポリマーを含有することにより，均染性および粘度安定性を向上させることができる。本発明で用いられるカチオン化ポリマーは，ポリマー鎖に結合してアミノ基又はアンモニウム基を含むか，又は少なくともジメチルジアリルアンモニウムハライドを構成単位として含む水溶液のものであり，例えばカチオン化セルロース誘導体，・・・などが挙げられる。カチオン化セルロース誘導体としては例えば次の一般式（１）で表されるものが好ましい。
　　【化１】（略）
式（１）中，Ａはアンヒドログルコース単位の残基を示し，ｆは５０〜２００００の整数であり，各Ｒ1は，それぞれ次の一般式（２）で表される置換基を示す。
　　【化２】（略）
式（２）中，Ｒ2，Ｒ3は炭素数２又は３のアルキレン基，ｇは０〜１０の整数，ｈは０〜３の整数，ｉは０〜１０の整数，Ｒ4は炭素数１〜３のアルキレン基又はヒドロキシアルキレン基，Ｒ5，Ｒ6，Ｒ7は同じか又は異なっており炭素数１０までのアルキル基，アリール基又はアラルキル基を示し，また式中の窒素原子を含んで複素環を形成してもよい。・・・市販品としては，ライオン（株）のレオガードＧ，ＧＰ，ユニオンカーバイド社のポリマーＪＲ−１２５，ＪＲ−４００，ＪＲ−３０Ｍ，ＬＲ−４００，ＬＲ−３０Ｍ等が挙げられる。・・・」(段落番号【０００８】，【０００９】，【００１０】)
(A-6)「実施例７                                                          　　　　　　　　　　　　　　　　　　　　　　　重量％
Ｎ，Ｎ−ビス（２−ヒドロキシエチル）−ｐ−フェニレンジアミン二塩酸塩
                     　　　　　    　　　                    ３．０
ポリマーＪＲ−４００※                  　　　　　           １．５
　・・・・・
アンモニア水 　　                 　　            ｐＨ９．５とする量
精製水で１００％にする。
※  ヒドロキシエチルセルロースヒドロキシプロピルトリメチルアンモニウムクロリドエーテル（ユニオンカーバイド社）
この染毛剤組成物は粘度安定性に優れ，また実施例１と同様に染毛すると，実施例１と同様に優れた均染性が得られた。」  (段落番号【００４３】)
　
引用例Ｂ
(B-1)「髪や皮膚用の調整剤として今日使用される商業的に入手できる水溶性カチオン化セルロースポリマーは，気/水，油/水の界面の界面活性に限界が見られる。新しいカチオン化セルロースa が登場した。それは，疎水性の成分によって，カチオン化セルロース類の他のものに比べて本質的により高いレベルの界面活性を有する。この論文では，我々は，この新しいポリマーの界面活性の性質に関する情報を提供するとともに，実用的な利用に関して提案をする。（p41左欄1-13行）
(B-2)「クワトリソフト商標ポリマーLM200，ユニオンカーバイド株式会社」(p47左欄脚注）。
(B-3)クワトリソフト商標ポリマーLM200を添加した水溶液の泡，ムースやエマルジョンの安定性が優れているとのデータ（Figure5,8,9，TablｅI,II）。
　
４．対比
　引用例Ａに記載の発明は，酸化染料中間体を含有する第１剤と酸化剤を含有する第２剤よりなる二剤型の酸化染毛剤に関する発明である（A-2）。そして，第1剤は，酸化染料中間体である（ａ）Ｎ，Ｎ−ビス（２−ヒドロキシエチル）−ｐ−フェニレンジアミンまたはその塩および（ｂ）カチオン化ポリマーを含有することを特徴とする染毛剤組成物であり(A-1)，（ｂ）カチオン化ポリマーとしては，カチオン化セルロース誘導体が挙げられ，一般式(1)及び(2)に，炭素数10までのアルキル基で変性された４級化ヒドロキシエチルセルロースが記載されている(A-4)。
　すなわち，引用例Ａには，「二剤型の酸化染毛剤用の酸化染料中間体を含有する第１剤であって，酸化染料中間体である（ａ）Ｎ，Ｎ−ビス（２−ヒドロキシエチル）−ｐ−フェニレンジアミンまたはその塩および（ｂ）炭素数10までのアルキル基で変性された４級化ヒドロキシエチルセルロースを含有することを特徴とする染毛剤組成物（以下，「引用発明」という。）が記載されているといえる。
　本願発明と引用発明を対比すると，本願発明で言う酸化染料組成物(A)は，引用発明の第1剤にあたり，酸化染料中間体である（ａ）Ｎ，Ｎ−ビス（２−ヒドロキシエチル）−ｐ−フェニレンジアミンは，本願明細書の段落番号【0049】に酸化染料前駆体の例として記載されているものであり，また，ヒトのケラチンファイバを染色するためとは染毛用であることを意味するから，両者は，（ａ）Ｎ，Ｎ−ビス（２−ヒドロキシエチル）−ｐ−フェニレンジアミンおよび（ｂ）アルキル基で変性された４級化ヒドロキシエチルセルロースを含有するヒトのケラチンファイバを染色するため酸化染料組成物である点で一致し，アルキル基で変性された４級化ヒドロキシエチルセルロースのアルキル基が，前者では，炭素数12又は18（C12又はC18）のアルキル基であるのに対し，後者では炭素数が10以下のアルキル基である点で相違する。
　
５．当審の判断
　上記の相違点について検討する。
　引用発明は，酸化染料中間体を含有する第１剤と酸化剤を含有する第２剤よりなる二剤型の酸化染毛剤において，均一に染毛できずにむら染めになる，経時変化により粘度の上昇が起こり，酸化剤との混合操作が困難で，毛髪へ塗布した場合の伸びが悪いという課題を解決し，均染性および粘度安定性に優れた染毛剤組成物を提供することを目的とし(A-3)，第1剤に，酸化染料中間体とともに，カチオン化ポリマーを含有することにより，均染性および粘度安定性を向上させることができるものである。
　一方，引用例Ｂは，新しい水溶性カチオン化セルロースポリマー「クワトリソフト商標ポリマーLM200，ユニオンカーバイド株式会社」の紹介論文であり，従来，髪や皮膚用の調整剤として使用されている水溶性カチオン化セルロースポリマーに比べ，高い界面活性能力を有すること((B-1)，(B-2)や，その性質として添加した水溶液の泡，ムースやエマルジョンの安定性が優れているとのデータ（B-3）が記載されており，時間がたっても界面活性能力が安定に保たれることが開示されている。なお，試験は，水溶液の泡やムースやエマルジョンについて行っているが，本論文は，髪や皮膚用の調整剤として広く使用されている水溶性カチオン化セルロースとして，新たなものを紹介するものであり，実験が水溶液の泡やムースやエマルジョンを対象としているからといって，この新しい水溶性カチオン化セルロースの使用範囲がこれらのものに限られるものでないことは明らかである。
　クワトリソフト商標ポリマーLM200 が，界面活性の能力が高いことは，カチオン化ポリマーとしては，そもそも第1剤への添加量が少なくてよいという長所である。
　また，引用例Ａにおいては，アルキル基で変性された４級化ヒドロキシエチルセルロースとして，詳細な説明に，ユニオンカーバイド社のポリマーJR-400が例示され，実施例７で使用されているが，引用例Ｂの Figure5 には，クワトリソフト商標ポリマーLM200 が，ポリマーJR-400 に比べ泡の生成能力が高く，安定性も良いことが示されている。
　したがって，アルキル基で変性された４級化ヒドロキシエチルセルロースとして，引用例Ａに記載のポリマーJR-400 に代えて，引用例Ｂに記載の炭素数12（C12）のアルキル基で変性された４級化ヒドロキシエチルセルロースであるクワトリソフト商標ポリマーLM200 を採用することは，当業者が，容易に想到し得ることである。
　
　そして，本願明細書の記載からみて，本願発明の効果が，当業者の予測を越える効果を奏するものとは認められない。
　
６．むすび
　したがって，本願発明は引用例Ａ及び引用例Ｂに記載された発明に基づいて当業者が容易に発明をすることができたものであるので，特許法第２９条第２項の規定により特許を受けることができない。
　よって，結論のとおり審決する。